(57)【特許請求の範囲】
【請求項１】
上向き段部３，３を介し、上部を順次小外径化させて、摘み筒４上方に嵌合筒５を、該筒上方に保持筒６を、それぞれ連結させ、又保持筒６内面に係止突部７を付設した主筒２と、上記係止突部７を下部内に埋設させて保持筒６内面から上方へ突出させた棒状化粧品11と、上記摘み筒４下面を閉塞する下蓋12と、上記嵌合筒５外面へ下方筒部を着脱自在に嵌合させて起立するキャップ形成用周壁17と、該周壁上面を閉塞する頂壁21から垂下する嵌合筒22を、上記キャップ形成用周壁17の上部へ緊密に螺合させた、キャップ形成用天板20とで形成したことを特徴とする、棒状化粧品サンプル容器。
【請求項２】
上向き段部３，３を介して上部を順次小外径化させて、摘み筒４上方に嵌合筒５を、該筒上方に保持筒６を、それぞれ連結させ、又保持筒内面に係止突部７を付設した主筒２と、上記保持筒６外面に周壁31下部を嵌合させて主筒上方へ起立し、頂板32上面から第１継手34を起立する帽状の型カバー30と、上記嵌合筒５外面へ下方筒部を嵌合させて起立し、上部を螺筒部とするキャップ形成用周壁17と、頂板36外周から垂下する周壁37を上記螺筒部に螺合させると共に、頂板36中央から垂下する第２継手38を上記第１継手34に回動可能に連結した型カバー用連結筒35とで、棒状化粧品充填体40を形成し、該充填体倒立状態で、摘み筒４の下端開口から型カバー30および保持筒６内へ、係止突部７を埋設させて溶融化粧品を流込み、該溶融化粧品が固化した後、キャップ形成用周壁17から連結筒35を螺脱させることで、棒状化粧品11に対して型カバー30を回転させないで抜取り、該抜取り前後いずれかの時点で摘み筒４下面を下蓋12で閉塞すると共に、その抜取りの後、頂壁21外周から嵌合筒22を垂下するキャップ形成用天板20の上記嵌合筒22を、キャップ形成用周壁17の上部へ螺合させて形成することを特徴とする、棒状化粧品サンプル容器の形成方法。
【発明の詳細な説明】
【０００１】
【産業上の利用分野】
本発明は、小さなサンプル口紅等を収容する簡易な棒状化粧品用サンプル容器とその形成方法に関する。
【０００２】
【従来の技術】
繰出し容器等に収容した口紅は周知である。
【０００３】
ところで、近年、口紅のサンプル容器として、図６及び図７に示す簡易なサンプル容器が出回っている。
【０００４】
このサンプル容器は、上端部を段付き小径の口紅支持部Aaとしたベース筒Ａと、該口紅支持部の外周に離脱可能に嵌合させた型カバーＢと、そのベース筒Ａの下端に嵌合させる底板Ｃと、上記口紅支持部Aaに着脱自在に嵌合させるキャップＤとから成り、ベース筒Ａの口紅支持部Aaの外周に型カバーＢを嵌合させ、この結合両者を倒立させて、型カバーＢ乃至上記口紅支持部Aa内に適量の溶融化粧品を充填し、かつ、固化させることにより、小棒状口紅Ｅを形成させ、次いで、そのベース筒Ａの下端に底板Ｃを嵌着するとともに、型カバーＢを除去し、ベース筒Ａの口紅支持部Aaの外周にキャップＤを着脱自在に嵌合させて、小棒状口紅入り容器として組み立てたものである（商標名「イヴ・サンローラン」）。
【０００５】
【発明が解決しようとする課題】
しかし、このサンプル口紅が実際に使用できるのは外部へ突出しているわずかな部分であり、多くの部分が口紅支持部Aa内に位置して使用できないため、甚だ無駄が多い欠点がある。該欠点除去のためにその上方突出部分を長くすると型カバーＢ取外しの際に該型カバーが傾く等することでその棒状口紅も傾いたり、又傷が付く等の欠点があった。
【０００６】
本発明はそれ等欠点を除去した容器を提案するものであり、又その容器の形成が容易であるよう設けたものである。
【０００７】
【課題を解決するための手段】
請求項１発明のサンプル容器は、上向き段部３，３を介し、上部を順次小外径化させて、摘み筒４上方に嵌合筒５を、該筒上方に保持筒６を、それぞれ連結させ、又保持筒６内面に係止突部７を付設した主筒２と、上記係止突部７を下部内に埋設させて保持筒６内面から上方へ突出させた棒状化粧品11と、上記摘み筒４下面を閉塞する下蓋12と、上記嵌合筒５外面へ下方筒部を着脱自在に嵌合させて起立するキャップ形成用周壁17と、該周壁上面を閉塞する頂壁21から垂下する嵌合筒22を、上記キャップ形成用周壁17の上部へ緊密に螺合させた、キャップ形成用天板20とで形成した。
【０００８】
請求項２発明は、上記サンプル容器を下記のように形成する。
【０００９】
即ち、上向き段部３，３を介して上部を順次小外径化させて、摘み筒４上方に嵌合筒５を、該筒上方に保持筒６を、それぞれ連結させ、又保持筒内面に係止突部７を付設した主筒２と、上記保持筒６外面に周壁31下部を嵌合させて主筒上方へ起立し、頂板32上面から第１継手34を起立する帽状の型カバー30と、上記嵌合筒５外面へ下方筒部を嵌合させて起立し、上部を螺筒部とするキャップ形成用周壁17と、頂板36外周から垂下する周壁37を上記螺筒部に螺合させると共に、頂板36中央から垂下する第２継手38を上記第１継手34に回動可能に連結した型カバー用連結筒35とで、棒状化粧品充填体40を形成し、該充填体倒立状態で、摘み筒４の下端開口から型カバー30および保持筒６内へ、係止突部７を埋設させて溶融化粧品を流込み、該溶融化粧品が固化した後、キャップ形成用周壁17から連結筒35を螺脱させることで、棒状化粧品11に対して型カバー30を回転させないで抜取り、該抜取り前後いずれかの時点で摘み筒４下面を下蓋12で閉塞すると共に、その抜取りの後、頂壁21外周から嵌合筒22を垂下するキャップ形成用天板20の上記嵌合筒22を、キャップ形成用周壁17の上部へ螺合させて形成する。
【００１０】
【実施例】
まず請求項１発明の棒状化粧品サンプル容器１について説明すると、該容器は、主筒と、棒状化粧品と、下蓋と、キャップ形成用周壁と、キャップ形成用天板とで形成している。棒状化粧品以外の部材は合成樹脂材で形成している。
【００１１】
主筒２は、上向き段部３，３を介し、上部を順次小外径化させて、摘み筒４上方に嵌合筒５を、該筒上方に保持筒６をそれぞれ連結させ、又その保持筒内面に係止突部７を付設している。その係止突部は内向きフランジ状でもよく、又は複数突子を内方へ突出して形成してもよい。摘み筒４の下端部内面には後述下蓋嵌着用の溝８を周設し、又摘み筒の上部内面には、下蓋周壁用のストッパーとしての複数リブ９を縦設しているが、これ等は必要により設ければよい。
【００１２】
棒状化粧品11は、既述係止突部７を下部内に埋設させて保持筒６内面から上方へ突出する。該棒状化粧品の形成については後述する。
【００１３】
下蓋12は、底板13外周から起立する周壁14を起立し、該周壁を既述主筒２の摘み筒４下部内へ緊密に嵌着させている。その周壁外面には既述溝内へ嵌合させる突条15を周設している。但しその周壁は摘み筒４の下部外面へ嵌合させてもよい。
【００１４】
キャップ形成用周壁17は、既述主筒の嵌合筒５外面へ下方筒部を着脱自在に嵌合させて、棒状化粧品11よりも高く上方へ起立し、その上部を内面に雌ねじ18を有する螺筒部17a としているが、外面に雄ねじを設けてもよい。
【００１５】
キャップ形成用天板20は、頂壁21外周から垂下する嵌合筒22を、上記螺筒に緊密に螺合させ、これ等天板20と上記キャップ形成用周壁17とでキャップ23を形成するものである。
【００１６】
上記棒状化粧品サンプル容器の形成は、次のようにして行う。
【００１７】
まず図２が示すように、主筒２と、型カバー30と、キャップ形成用周壁17と、型カバー用連結筒35とで、棒状化粧品充填体40を形成する。主筒２とキャップ形成用周壁17とは既述の通りである。
【００１８】
型カバー30は、主筒２の保持筒６外面に周壁31下部を嵌合させて頂部を上方へ起立し、頂板32上面から円筒状でかつ上部内面に係合突条33を周設した第１継手34を上方へ起立する帽状体をなす。図示のように周壁31下部は上向き段部31a を介してその上方周壁部分よりも大外径化するとよく、その上向き段部31a 直上の周壁部分内径は、既述主筒２の保持筒６内径と同径とし、又周壁上部は上方小径のテーパ状としている。該周壁31内面は棒状化粧品形成用の型をなすものであるから、棒状化粧品11の外面形状に対応する形状に形成する。
【００１９】
型カバー用連結筒35は、頂板36外周から垂下する周壁37を、既述キャップ形成用周壁17の螺筒部17a に螺合させると共に、頂板36中央から垂下する第２継手38を既述第１継手34に回動可能に連結する。図示例で第２継手38は、既述第１継手34の円筒状部内へ挿入可能な棒部下端外面に、第１継手の係合突条33下面へ係合させる抜止め突条39を周設している。尚これ等各継手は筒と棒との形状を逆に設けてもよい。第１継手34に対して第２継手38は回動可能に、つまり後述の連結筒35螺脱の際に、型カバー30に対して連結筒35が回動可能に形成する。
【００２０】
上記棒状化粧品充填体40は図３のように倒立させ、該倒立状態で、摘み筒４の下端開口から型カバー30および保持筒６内へ、係止突部７を埋設させて溶融化粧品を流込み、その冷却固化により棒状化粧品11を形成する。
【００２１】
次に図５が示すように、キャップ形成用周壁17から型カバー用連結筒35を螺脱することで型カバー30を棒状化粧品11から抜き取る。該型カバー抜取りの際、棒状化粧品11に対して型カバー30が連結筒35と共に螺動すると、棒状化粧品11がねじ切れたり、又棒状化粧品表面に傷が付いたりするから、棒状化粧品に対して型カバー30は螺動しないで垂直に上昇するよう、既述第１、第２継手34，38は回動容易に、又連結筒35の螺上昇で型カバー30は確実に螺上昇することなく垂直に引上げられるよう連結する。
【００２２】
上記型カバー抜取りの前後いずれかの時点で、摘み筒４の下面を、既述下蓋12で閉塞し、又型カバー抜取りの後、既述キャップ形成用天板20の嵌合筒22を、キャップ形成用周壁17の上部に螺合させてキャップ23とする。
【００２３】
【発明の効果】
本発明は既述構成とするものであり、よって請求項１のサンプル容器は、保持筒６内面に係止突部７を有し、棒状化粧品11はその係止突部７を下部内面に埋設して保持筒６上方へ突出するから、保持筒６内の支持部分を既述従来例のように長くしなくても確実に支持させることが出来、従って保持筒６から上方突出する使用部分を長くすることが出来る。叉主筒２およびキャップ形成用周壁17は、該容器形成時に使用する棒状化粧品充填体40の構成部材をそのまま使用するから無駄が少なく、よって廉価とすることが出来る。
【００２４】
請求項２の容器形成方法は、型カバー30と連結筒35とを連結する第１継手34と第２継手38とを回動可能に連結すると共に、連結筒35の周壁37を、主筒２の嵌合筒５外面へ嵌合させて起立するキャップ形成用周壁17の上部へ螺合させたから、キャップ形成用周壁17に対して型カバー用連結筒35を螺上昇させるだけで、型カバー30内への溶融化粧品流込みによって形成した棒状化粧品11に対して、型カバー30をそのまま垂直に引抜くことが可能であり、よってその型カバー除去に際して棒状化粧品が損傷等することがなく、従って棒状化粧品11の保持筒６上方突出部分を長くすることができる。
【図面の簡単な説明】
【図１】  本発明容器の縦断面図である。
【図２】  本発明容器を形成するための棒状化粧品充填体の縦断面図である。
【図３】  図２が示す棒状化粧品充填体内へ、溶融化粧品を充填した状態を示す断面図である。
【図４】  図３の棒状化粧品充填体に下蓋を嵌合させて示す縦断面図である。
【図５】  図４状態から型カバーと共に連結筒を外した状態を示す、分解断面図である。
【図６】  従来例サンプル容器の断面図である。
【図７】  図６容器の分解断面図である。
【符号の説明】
２  主筒      11  棒状化粧品
12  下蓋      17  キャップ形成用周壁
20  天板
【図１】
0003638640.tif 000002
【図２】
0003638640.tif 000003
【図３】
0003638640.tif 000004
【図４】
0003638640.tif 000005
【図５】
0003638640.tif 000006
【図６】
0003638640.tif 000007
【図７】
0003638640.tif 000008